(57)【特許請求の範囲】
【請求項１】
可撓性シートに板状の帯片の複数を当接させて付設して曲がり可能に構成した戸体をレールに走行自在に建て込だ巻き戸であって、可撓性シートの片面に断面が方形状の帯片を、他方の面に断面が台形状の帯片を付設するとともに伸展状態における戸体の両面の帯片の各々の表面に化粧シートを積層して成り、前記可撓性シートの少なくとも片面側の隣接する帯片の対向する側面が、レールの直線部に位置する状態において略Ｖ字状に対向するように傾斜され、かつ、Ｖ字状の谷の奥部に更に急傾斜となって略Ｖ字状となる奥部側面を形成して、化粧シートのカット縁部を奥部側面に至らせて成ることを特徴とする巻き戸。
【請求項２】
可撓性シートの少なくとも片面側の隣接する帯片の対向する側面が凹曲して成ることを特徴とする請求項１記載の巻き戸。
【発明の詳細な説明】
【０００１】
【発明の属する技術分野】
本発明は、曲がり可能に構成した戸体を曲がったレールに建て込だ巻き戸に関し、詳しくは、戸体の外観を高めるとともにそのための化粧シートの貼着機能を高めようとする技術に係るものである。
【０００２】
【従来の技術】
従来、図１１に示すように、可撓性シート１に板状の帯片２の複数を当接させて付設して曲がり可能に構成した戸体３をレール４に走行自在に建て込だ巻き戸においては、可撓性シート１の片面側にのみ帯片２を付設するものである。又、隣接する帯片２，２の対向する側面６，６が、レール４の直線部に位置する状態において略Ｖ字状に対向するように傾斜され、帯片２の表面及び側面６に化粧シート５が貼着されているのである。
【０００３】
【発明が解決しようとする課題】
ところが、可撓性シート１の片面側にのみ帯片２を付設するものであるから、戸体３の裏面側の外観が低いものとなっていた。又、帯片２の表面及び側面６に化粧シート５が貼着されるが、化粧シート５が剥がれやすいものとなっていた。
【０００４】
本発明はこのような問題を解消しようとするものであり、戸体の外観を高めるとともにそのための化粧シートの貼着力を高めることができる巻き戸を提供することを課題とするものである。
【０００５】
【課題を解決するための手段】
請求項１においては、可撓性シート１に板状の帯片２の複数を当接させて付設して曲がり可能に構成した戸体３をレール４に走行自在に建て込だ巻き戸であって、可撓性シート１の片面に断面が方形状の帯片２を、他方の面に断面が台形状の帯片２を付設するとともに伸展状態における戸体３の両面の帯片２，２の各々の表面に化粧シート５を積層して成り、前記可撓性シート１の少なくとも片面側の隣接する帯片２，２の対向する側面６，６が、レール４の直線部に位置する状態において略Ｖ字状に対向するように傾斜され、かつ、Ｖ字状の谷の奥部に更に急傾斜となって略Ｖ字状となる奥部側面７，７を形成して、化粧シート５のカット縁部を奥部側面７に至らせてあることを特徴とするものである。このような構成によれば、戸体３の内外の外観を高めることができ、また二段となった奥のＶ字状の奥部側面７に化粧シート５のカット縁部を納めて化粧シート５が剥がれ難くすることができるものである。
【０００７】
請求項２においては、可撓性シート１の少なくとも片面側の隣接する帯片２，２の対向する側面６，６が凹曲していることを特徴とするものである。このような構成によれば、側面６が凹曲することで、化粧シート５の貼着強度を、一層、高めることができるものである。
【０００８】
【発明の実施の形態】
以下、本発明の実施の形態を図面に基づいて説明する。図１（ａ）（ｂ）は戸体の概略拡大断面図、図２は全体の平断面図である。
【０００９】
本発明の巻き戸８は例えば、ホームエレベータの昇降かご９の開口を開閉する箇所に使用されるものである。
【００１０】
巻き戸８は、可撓性シート１の両面に帯片２の複数を付設するとともに可撓性シート１の両面の帯片２，２の各々の表面に化粧シート５を積層した戸体３を上下のレール４に走行自在に建て込むものである。このように、昇降かご９の開口部を開閉する戸体３の内外面の帯片２…に化粧シート５を積層していて、昇降かご９の内部からの外観、及び外部からの外観を高めている。
【００１１】
図２に示すように、可撓性シート１に帯片２…を接着などにて積層し、化粧シート５は例えば、片面づつ真空引きにて吸引して吸着させて積層し、その後、帯片２，２の隣接箇所においてカッター（図示せず）にて切断して帯片２に化粧シート１を積層するものである。カットされた化粧シート１が良好に帯片２に貼着されるようにしている。以下、かかる構成を詳述する。
【００１２】
可撓性シート１のかご外面側の帯片２ａは水平断面が略長方形状（正方形でもよい）であり、かご内面側の帯片２ｂは略台形状になっている。この略台形状になっていて隣接する帯片２ｂ，２ｂの対向する側面６，６が、レール４の直線部に位置する状態において略Ｖ字状に対向するように切削されて傾斜され、かつ、Ｖ字状の谷の奥部に更に急傾斜となって略Ｖ字状となる奥部側面７，７を形成していて、化粧シート５のカット縁部を奥部側面７に至らせるものである。
【００１３】
しかして、二段となった奥のＶ字状の奥部側面７に化粧シート５のカット縁部を納めて化粧シート５が剥がれ難くすることができるものである。
【００１４】
更に、略台形状の帯片２ｂにおいては、隣接する帯片２ｂ，２ｂの対向する側面６，６が凹曲しているものである。このように、側面６が凹曲することで、化粧シート５の貼着強度を、一層、高めることができるものである。
【００１５】
図７に示すように、可撓性シート１に対向して付設されていて、巻き戸８の両端の表裏の帯片２ｃ，２ｃは、中間の帯片２（２ａ，２ｂ）よりも幅広となった断面長方形状である。端部で表裏のものが一体化された帯片２ｃ，２ｃ及び中間で表裏のものが一体化された帯片２ａ，２ｂの上端部には横孔１２が形成され、ランナー取り付け部材１３を嵌入している。ランナー取り付け部材１３には取り付け孔１４を形成している。
【００１６】
図３に示すように、端部の帯片２ｃの上端にランナー取り付け部材１３を介してボルト１５によってステー１６を取り付け、ステー１６に取り付け片１７を介して上下にランナーローラ１８ａ，１８ａを取り付け、これらランナーローラ１８ａ，１８ａを上のレール４に転動自在に挿合している。端部の帯片２ｃの下端には下ローラ１９を取り付け、下ローラ１９を下のレール４の溝１１に転動自在に挿合している。
【００１７】
図４に示すように、中間で一体化された帯片２ａ，２ｂの上端にランナー取り付け部材１３を介してボルト１５によってステー１６を取り付け、ステー１６に取り付け片１７を介して前後にランナーローラ１８ｂ，１８ｂを取り付け、これらランナーローラ１８ｂ，１８ｂを上のレール４に転動自在に当接している。中間の帯片２ａ，２ｂの下端には下ローラ１９を取り付け、下ローラ１９を下のレール４の溝１１に転動自在に前後から当接している。
【００１８】
ところで、図１０に示すように、建物の各階のエレベータ乗場の開口部２０には折りたたみ扉２１を設けて開口部２０の開閉をおこなえるようにしている。折りたたみ扉２１は二枚の扉体２４，２４をヒンジ体２５にて折りたたみ自在に連結して、上述の上のランナー１０及び下ローラ１９を付設して、上下のレール４ａ，４ａに折りたたみ自在に建て込むものである。図中３０は目隠し、３１はストッパーである。
【００１９】
尚、本発明の巻き戸８は、エレベータの昇降かご９の他に実施してもよいのはいうまでもない。
【００２０】
又、中間部の帯片２ａ，２ｂ及び扉体２４のランナー構造は、図５のようにしてもよいものである。
【００２１】
【発明の効果】
請求項１においては、可撓性シートに板状の帯片の複数を当接させて付設して曲がり可能に構成した戸体をレールに走行自在に建て込だ巻き戸であって、可撓性シートの片面に断面が方形状の帯片を、他方の面に断面が台形状の帯片を付設するとともに伸展状態における戸体の両面の帯片の各々の表面に化粧シートを積層してあるから、戸体の内外の外観を高めることができるという利点がある。
【００２２】
また、可撓性シートの少なくとも片面側の隣接する帯片の対向する側面が、レールの直線部に位置する状態において略Ｖ字状に対向するように傾斜され、かつ、Ｖ字状の谷の奥部に更に急傾斜となって略Ｖ字状となる奥部側面を形成して、化粧シートのカット縁部を奥部側面に至らせてあるから、二段となった奥のＶ字状の奥部側面に化粧シートのカット縁部を納めて化粧シートが剥がれ難くすることができるという利点がある。
【００２３】
請求項２においては、可撓性シートの少なくとも片面側の隣接する帯片の対向する側面が凹曲しているから、請求項１の効果に加えて、側面が凹曲することで、化粧シートの貼着強度を、一層、高めることができるという利点がある。
【図面の簡単な説明】
【図１】本発明の実施の形態を示し、（ａ）（ｂ）は要部の拡大概略断面図である。
【図２】同上の概略平断面図である。
【図３】同上の巻き戸の端部の縦断面図である。
【図４】同上の巻き戸の中間部の縦断面図である。
【図５】同上の他の実施の形態の縦断面図である。
【図６】同上の戸体を示し、（ａ）は平面図、（ｂ）は正面図である。
【図７】同上の帯片を示し、（ａ）は中間の帯片の平面図、（ｂ）は同上の一部破断した正面図、（ｃ）は同上の底面図、（ｄ）は端部帯片の平面図、（ｅ）は同上の一部破断した正面図、（ｆ）は同上の底面図、（ｇ）はランナー取り付け部材の斜視図である。
【図８】同上の外部から見た斜視図である。
【図９】（ａ）は同上の内部からの斜視図、（ｂ）（ｃ）は内部からの部分斜視図である。
【図１０】同上の建物側の開口部を開閉する扉を示し、（ａ）は開放途中の斜視図、（ｂ）は閉状態の斜視図である。
【図１１】従来例を示し、（ａ）（ｂ）は断面図である。
【符号の説明】
１  可撓性シート
２  帯片
３  戸体
４  レール
５  化粧シート
６  側面
７  奥部側面
【図１】
0003620777.tif 000002
【図２】
0003620777.tif 000003
【図３】
0003620777.tif 000004
【図４】
0003620777.tif 000005
【図５】
0003620777.tif 000006
【図６】
0003620777.tif 000007
【図７】
0003620777.tif 000008
【図８】
0003620777.tif 000009
【図９】
0003620777.tif 000010
【図１０】
0003620777.tif 000011
【図１１】
0003620777.tif 000012